(57)【要約】【課題】ペットによる好みに合わせて所望の形態で使用できて、ペットにとって快適な居住環境を得ることができるペット用クッションを提供する。【解決手段】本発明の猫用等のペット用クッションは、弾力性ないし柔軟性を有する下側クッション部材２と、下側クッション部材２の上側に重ね合わされるように配置され、かつ弾力性ないし柔軟性を有する上側クッション部材１とを備える。上側および下側の両クッション部材１，２の外周縁部間における一部が連結されることによって、両クッション部材１，２間に位置し、かつ両クッション部材１，２の外周縁部間における非連結部を出入口４とする引き籠もり部５が形成されている。【選択図】図１
2017221123.tif 000002
【特許請求の範囲】
【請求項１】
弾力性ないし柔軟性を有する下側クッション部材と、
前記下側クッション部材の上側に重ね合わされるように配置され、かつ弾力性ないし柔軟性を有する上側クッション部材とを備え、
前記上側および前記下側の両クッション部材の外周縁部間における一部が連結されることによって、前記両クッション部材間に位置し、かつ前記両クッション部材の外周縁部間における非連結部を出入口とする引き籠もり部が形成されていることを特徴とするペット用クッション。
【請求項２】
前記両クッション部材の外周縁部間におけるほぼ半周域が連結されて、前記引き籠もり部が袋状に形成されている請求項１に記載のペット用クッション。
【請求項３】
前記両クッション部材は平面視において互いに同一形状で同一サイズに形成されている請求項１または２に記載のペット用クッション。
【請求項４】
前記両クッション部材は平面視円形に形成されている請求項１〜３のいずれか１項に記載のペット用クッション。
【発明の詳細な説明】
【技術分野】
【０００１】
この発明は、例えば家庭や店舗等の室内で飼われている猫等、比較的小型のペットのためのベッドやマットとして用いることができるペット用クッションに関する。
【背景技術】
【０００２】
屋内で飼われている猫においては、座布団やソファーの上で丸まって横になったり、寝入ったりしてリラックスしている光景をよく見かける。このように飼い猫がリラックスできるような猫用のクッションとしては例えば、下記特許文献１等に示すような座布団型のものが周知である。
【０００３】
一方、猫は狭いスペースに好んで入り込む習性があるが、その習性を利用した猫用ボックス（猫用ハウス）等も周知である。この猫用ボックスは例えば、袋状ないしトンネル状の引き籠もり穴を有し、その引き籠もり穴に飼い猫が入り込み、そこで身を縮こまらせて居座ってリラックスできるようになっている。
【先行技術文献】
【特許文献】
【０００４】
【特許文献１】特開２００２−１９１２４７号公報
【発明の概要】
【発明が解決しようとする課題】
【０００５】
ところで、飼い猫によってリラックスできる好みの居場所は様々であり、好みの居場所として上記座布団型のクッションを選ぶ猫もいれば、袋状やトンネル状の引き籠もり穴を有する猫用ボックスを選ぶ猫もいる。また時間帯や飼い猫の気分によって、座布団型のクッションを選んだり、引き籠もり穴を選んだりする等、好みの居場所を変えることも考えられる。
【０００６】
このように飼い猫等のペットは、リラックスできる好みの居場所が多様であり、従来より、この多様な好みの居場所に的確に対応できるような猫用クッション等のペット用クッションの開発が望まれているのが現状である。
【０００７】
この発明は、上記の課題に鑑みてなされたものであり、猫等のペットによる好みに合わせて所望の使用形態を選択できて、ペットにとって快適な居住環境を得ることができる猫用等のペット用クッションを提供することを目的とする。
【課題を解決するための手段】
【０００８】
上記課題を解決するため、本発明は、以下の手段を備えるものである。
【０００９】
［１］弾力性ないし柔軟性を有する下側クッション部材と、
前記下側クッション部材の上側に重ね合わされるように配置され、かつ弾力性ないし柔軟性を有する上側クッション部材とを備え、
前記上側および前記下側の両クッション部材の外周縁部間における一部が連結されることによって、前記両クッション部材間に位置し、かつ前記両クッション部材の外周縁部間における非連結部を出入口とする引き籠もり部が形成されていることを特徴とするペット用クッション。
【００１０】
［２］前記両クッション部材の外周縁部間におけるほぼ半周域が連結されて、前記引き籠もり部が袋状に形成されている前項１に記載のペット用クッション。
【００１１】
［３］前記両クッション部材は平面視において互いに同一形状で同一サイズに形成されている前項１または２に記載のペット用クッション。
【００１２】
［４］前記両クッション部材は平面視円形に形成されている前項１〜３のいずれか１項に記載のペット用クッション。
【発明の効果】
【００１３】
発明［１］のペット用クッションによれば、上下の両クッション部材間に引き籠もり部が形成されているため、猫等のペットが上側クッション部材上に位置するような使用形態と、引き籠もり部に入り込むような使用形態との２つの使用形態から選択することができる。このためペットは好みに合わせて、２つの使用形態の中から選択できて、一層リラックスした状態で平穏に過ごすことができ、飼い猫にとって快適な居住環境を得ることができる。
【００１４】
発明［２］のペット用クッションによれば、引き籠もり部が袋状に形成されているため、ペットは引き籠もり部内に違和感なくより一層好んで入り込むようになり、より一層リラックスできて、より快適な居住環境を得ることができる。
【００１５】
発明［３］［４］のペット用クッションによれば、上記の効果をより一層確実に得ることができる。
【図面の簡単な説明】
【００１６】
【図１】図１はこの発明のペット用クッションが適用された第１実施形態の猫用クッションを示す斜視図である。
【図２】図２は第１実施形態の猫用クッションの側面図である。
【図３】図３は第１実施形態の猫用クッションの両クッション部材間の連結範囲を説明するための概略平面図である。
【図４】図４はこの発明のペット用クッションが適用された第２実施形態の猫用クッションを示す斜視図である。
【図５】図５はこの発明のペット用クッションが適用された第３実施形態の猫用クッションを示す斜視図である。
【発明を実施するための形態】
【００１７】
図１はこの発明の第１実施形態である猫用クッションＣ１を示す斜視図、図２はその猫用クッションＣ１の側面図、図３はその猫用クッションＣ１における連結部３を説明するための概略平面図である。
【００１８】
これらの図に示すように本第１実施形態の猫用クッションＣ１は、上側クッション部材１と、下側クッション部材２との２つのクッション部材を備えている。両クッション部材１，２は、外皮を構成するクッションカバーと、そのクッションカバー内に充填されたクッション材とによって構成されている。
【００１９】
クッションカバーとしては、織布、不織布、編み物等の布材（繊維シート）、合成樹脂シート、合成皮革（人工皮革）等によって構成されている。またクッション材としては、綿、ビーズ、フェザー、ダウン、ウレタンフォーム等の柔軟性ないし弾力性を有する材料によって構成されている。言うまでもなく本発明においては、クッションカバーやクッション材の素材は限定されるものではない。
【００２０】
両クッション部材１，２は、互いにほぼ同じ形状でほぼ同じ大きさに形成されており、平面視において円形に形成された、いわゆる丸型クッションによって構成されている。
【００２１】
上側クッション部材１は、下側クッション部材２の上側に重ね合わされるように配置された状態で、両クッション部材１，２の外周縁部間における所要部分が縫合されて連結されている。本実施形態においては、この縫合による連結部３における範囲（連結範囲）Ｈは、図３に示すように猫用クッションＣ１の外周縁部におけるほぼ半周域に設定されている。
【００２２】
こうして両クッション部材１，２の外周縁部間の半周域部分が連結されることによって、両クッション部材１，２間に、両クッション部材１，２によって囲まれた略袋状の引き籠もり部５が形成されている。さらに両クッション部材１，２の外周縁部間における連結部３を除く部分によって、つまり縫合されていない非連結部によって出入口４が構成されるとともに、この出入口４を介して袋状の引き籠もり部５が外部に開放されている。これにより出入口４を通じて飼い猫等のペットが引き籠もり部５に入り込んだり、引き籠もり部５から抜け出したりできるようになっている。
【００２３】
ここで本第１実施形態においては、両クッション部材１，２の外周縁部間における連結範囲（縫合範囲）Ｈをほぼ半周域に設定するのが好ましい。すなわち連結範囲Ｈが短過ぎる場合（少な過ぎる場合）には、両クッション部材１，２間に形成される引き籠もり部５を飼い猫が好むような袋状に形成することが困難になるおそれがあり、好ましくない。逆に連結範囲Ｈが長過ぎる場合（多過ぎる場合）には、非連結部（非縫合部）によって構成される出入口４が小さくなってしまい、飼い猫が引き籠もり部５に入り込むのが困難になり、引き籠もり部５が居室空間としての機能を十分に発揮できなくなるおそれがあり、好ましくない。
【００２４】
なお本実施形態において、ほぼ半周とは全周の１／３〜２／３の範囲（１／３周〜２／３周の範囲）に相当するものである。
【００２５】
一方、第１実施形態の猫用クッションＣ１において、両クッション部材１，２の表面にはプリント等によって描画されており、猫用クッションＣ１が全体として、パンケーキやハンバーガー等を模した模造品に仕上げられており、猫用クッションＣ１を購買する者（飼い主等）が興味を抱くような遊び心を持った製品に形成されている。
【００２６】
以上のように構成された本第１実施形態の猫用クッションＣ１において、飼い猫は２つの使用形態の中から所望の使用形態を適宜選択することができる。
【００２７】
１つ目の使用形態は、猫用クッションＣ１を座布団のように敷物として使用する形態である。すなわち猫用クッションＣ１における上側クッション部材１の上で飼い猫が丸まって横になったり、寝入ったりするような使用形態である。
【００２８】
２つ目の使用形態は、猫用クッションＣ１を狭い居室空間である引き籠もり穴として使用する形態である。すなわち猫用クッションＣ１における出入口４から、飼い猫が袋状の引き籠もり部５に入り込んで身を縮こまらせて居座って、横になったり、寝入ったりするような使用形態である。
【００２９】
以上のように本第１実施形態の猫用クッションＣ１によれば、座布団等の敷物とする使用形態と、引き籠もり穴とする使用形態との２つの使用形態から適宜選択することができるため、飼い猫は好みに合わせて、２つの使用形態の中から所望の使用形態を選択することができる。このように飼い猫が好みの使用形態を選択することによって、一層リラックスした状態で平穏に過ごすことができ、飼い猫にとって快適な居住環境を得ることができる。
【００３０】
その上さらに飼い猫に対して快適な居住環境を提供できるため、飼い主にとっても十分な満足感を得ることができる。
【００３１】
また本第１実施形態においては、引き籠もり部５を袋状に形成しているため、飼い猫はより一層好んで引き籠もり部５に入り込むようになり、飼い猫はより一層リラックスできて、より一層快適な居住環境を得ることができる。
【００３２】
図４はこの発明の第２実施形態である猫用クッションＣ２を示す斜視図である。同図に示すように、この猫用クッションＣ２においては、上下両側のクッション部材１，２が平面視正方形状に形成されている。そして両クッション部材１，２が重ね合わされるように配置された状態で、両クッション部材１，２の対応し合う一辺部同士が互いに縫合されて連結部３が形成されている。
【００３３】
この第２実施形態の猫用クッションＣ２において他の構成は、上記第１実施形態の猫用クッションＣ１と実質的に同様であるため、同一または相当部分に同一符号を付して重複説明は省略する。
【００３４】
この第２実施形態の猫用クッションＣ２においても上記と同様に同様の作用効果を得ることができる。
【００３５】
図５はこの発明の第３実施形態である猫用クッションＣ３を示す斜視図である。同図に示すように、この猫用クッションＣ３においては、上下両側のクッション部材１，２が平面正三角形状に形成されている。そして両クッション部材１，２が重ね合わされるように配置された状態で、両クッション部材１，２の対応し合う一角部周辺同士が互いに縫合されて連結部３が形成されている。
【００３６】
この第３実施形態の猫用クッションＣ３において他の構成は、上記第１実施形態の猫用クッションＣ１と実質的に同様であるため、同一または相当部分に同一符号を付して重複説明は省略する。
【００３７】
この第３実施形態の猫用クッションＣ３においても上記と同様に同様の作用効果を得ることができる。
【００３８】
なお上記実施形態の猫用クッションＣ１〜Ｃ３においては、両クッション部材１，２が平面視において円形、正方形、正三角形に形成されているが、本発明においてクッション部材１，２の形状は特に限定されるものではなく、どのような形状に形成しても良い。例えばクッション部材として、平面視が五角形以上の正多角形に形成したり、正多角形以外の多角形に形成するようにしても良く、楕円形、長円形等の非円形に形成するようにしても良い。さらに本発明においてはクッション部材の形状を異形状に形成するようにしても良い。
【００３９】
また上側クッション部材１と下側クッション部材２との形状や大きさを必ずしも一致させる必要はなく、上側クッション部材を下側クッション部材に対し異なる形状にしたり、異なる大きさに形成するようにしても良い。
【００４０】
また上記実施形態においては、本発明を猫用クッションに適用する場合を例に挙げて説明したが、本発明は猫用に限られず、小型犬等の猫以外のペット用にも適用することができる。
【００４１】
また本発明において、両クッション部材の外周縁部間における連結部の範囲は、半周域に限られることはなく、半周域よりも長くあるいは短く設定するようにしても良い。
【産業上の利用可能性】
【００４２】
この発明のペット用クッションは、屋内で飼われている猫等のペット用のベッドやマットとして好適に用いることができる。
【符号の説明】
【００４３】
１：上側クッション部材
２：下側クッション部材
４：出入口
５：引き籠もり部
Ｃ１〜Ｃ３：猫用クッション（ペット用クッション）
Ｈ：連結範囲
【図１】
2017221123.tif 000003
【図２】
2017221123.tif 000004
【図３】
2017221123.tif 000005
【図４】
2017221123.tif 000006
【図５】
2017221123.tif 000007